(57)【要約】【課題】巻取軸が振動するのを抑制することが可能な巻取装置を提供する。【解決手段】巻取装置は、巻取軸１５２を回転可能に支持するチャックと、巻取軸１５２を回転させるための２つのドラム２ａおよび２ｂと、巻取ロール１５０ｂを２つのドラム２ａおよび２ｂに押し付けるプレスローラ４と、プレスローラ４による押圧力を調整するための調整機構と、巻取ロール１５０ｂの自重による押圧力を調整するための調整機構と、チャックと巻芯１５１との間に配置され、巻取軸１５２を支持する支持機構８とを備える。調整機構は、鉛直方向に移動可能なスライド部材を含み、スライド部材には、チャックおよび支持機構８が設けられている。支持機構８は、巻取軸１５２の外周面を取り囲むように配置される３つのローラ８１〜８３を含み、３つのローラ８１〜８３は、巻取軸１５２と接触するように構成されている。【選択図】図２
2018090383.tif 000002
【特許請求の範囲】
【請求項１】
シートを巻き取る巻芯が装着される巻取軸を回転可能に支持するチャックと、
前記巻取軸を回転させるための２つのドラムと、
前記巻芯に前記シートが巻き取られることにより形成される巻取ロールを前記２つのドラムに押し付けるプレスローラと、
前記プレスローラによる押圧力を調整するための第１調整機構と、
前記巻取ロールの自重による押圧力を調整するための第２調整機構と、
前記チャックと前記巻芯との間に配置され、前記巻取軸を支持する支持機構とを備え、
前記第２調整機構は、鉛直方向に移動可能なスライド部材を含み、前記スライド部材には、前記チャックおよび前記支持機構が設けられ、
前記支持機構は、前記巻取軸の外周面を取り囲むように配置される３つのローラを含み、前記３つのローラは、前記巻取軸と接触するように構成されていることを特徴とする巻取装置。
【請求項２】
請求項１に記載の巻取装置において、
前記３つのローラは、前記巻取軸に対して上流側に配置される第１ローラと、前記巻取軸に対して下流側に配置される第２ローラおよび第３ローラとを含み、
前記第２ローラは、前記巻取軸の回転中心よりも上方に配置され、前記巻取軸から上方に離間するように移動可能に構成され、
前記第３ローラは、前記巻取軸の回転中心よりも下方に配置され、前記巻取軸から下方に離間するように移動可能に構成されていることを特徴とする巻取装置。
【請求項３】
請求項１または２に記載の巻取装置において、
前記巻取ロールが巻き上がった場合に、その巻取ロールを排出するための排出機構を備え、
前記排出機構は、アームと、前記巻取軸に対する前記巻芯の位置を調整するための位置調整部材と、前記巻取ロールを排出する際にその巻取ロールを押し出す押出部材とを含み、
前記位置調整部材および前記押出部材は、前記アームと連動するように構成されていることを特徴とする巻取装置。
【発明の詳細な説明】
【技術分野】
【０００１】
本発明は、巻取装置に関する。
【背景技術】
【０００２】
従来、原反から繰り出されるシートを分割して巻き取る巻取装置が知られている（たとえば、特許文献１参照）。
【０００３】
特許文献１の巻取装置は、シートを巻き取る巻芯が装着される巻取軸を回転させるための２つのドラムと、巻芯にシートが巻き取られることにより形成される巻取ロールを２つのドラムに押し付けるプレスローラとを備えている。このような巻取装置では、プレスローラによる押圧力と巻取ロールの自重による押圧力とが、ドラムと巻取ロールとの接触点にかかることになる。このドラムと巻取ロールとの接触圧によって巻取品質が変化することから、特許文献１の巻取装置はその接触圧を調整可能に構成されている。具体的には、この巻取装置では、巻取軸を保持するチャックを昇降可能に構成するとともに、プレスローラを昇降可能に構成することにより、接触圧が調整可能になっている。
【先行技術文献】
【特許文献】
【０００４】
【特許文献１】特開平１０−１９４５３４号公報
【発明の概要】
【発明が解決しようとする課題】
【０００５】
ここで、巻取ロールの自重が大きくなると、巻取軸の撓みが発生することが考えられる。この巻取軸の撓みはプレスローラによる押圧によって抑制することが可能であるが、巻取ロールが柔らかい場合には、そのプレスローラによる撓みの抑制効果が不十分となり、巻取軸が振動するおそれがある。また、高速巻取時において加速されるときに複数の共振点を通過するが、共振点を通過する際に巻取軸の振動が助長される。
【０００６】
本発明は、上記の課題を解決するためになされたものであり、本発明の目的は、巻取軸が振動するのを抑制することが可能な巻取装置を提供することである。
【課題を解決するための手段】
【０００７】
本発明による巻取装置は、シートを巻き取る巻芯が装着される巻取軸を回転可能に支持するチャックと、巻取軸を回転させるための２つのドラムと、巻芯にシートが巻き取られることにより形成される巻取ロールを２つのドラムに押し付けるプレスローラと、プレスローラによる押圧力を調整するための第１調整機構と、巻取ロールの自重による押圧力を調整するための第２調整機構と、チャックと巻芯との間に配置され、巻取軸を支持する支持機構とを備える。第２調整機構は、鉛直方向に移動可能なスライド部材を含み、スライド部材には、チャックおよび支持機構が設けられている。支持機構は、巻取軸の外周面を取り囲むように配置される３つのローラを含み、３つのローラは、巻取軸と接触するように構成されている。
【０００８】
このように構成することによって、チャックと巻芯との間の巻取軸を３つのローラで支持することにより、巻取軸の支点間距離を短くすることができるので、巻取軸が撓むのを抑制することができる。また、共振時の振幅を抑制するとともに、共振点の数の低減を図ることができる。
【０００９】
上記巻取装置において、好ましくは、３つのローラは、巻取軸に対して上流側に配置される第１ローラと、巻取軸に対して下流側に配置される第２ローラおよび第３ローラとを含み、第２ローラは、巻取軸の回転中心よりも上方に配置され、巻取軸から上方に離間するように移動可能に構成され、第３ローラは、巻取軸の回転中心よりも下方に配置され、巻取軸から下方に離間するように移動可能に構成されている。
【００１０】
上記巻取装置において、好ましくは、巻取ロールが巻き上がった場合に、その巻取ロールを排出するための排出機構を備え、排出機構は、アームと、巻取軸に対する巻芯の位置を調整するための位置調整部材と、巻取ロールを排出する際にその巻取ロールを押し出す押出部材とを含み、位置調整部材および押出部材は、アームと連動するように構成されている。
【発明の効果】
【００１１】
本発明の巻取装置によれば、巻取軸が振動するのを抑制することができる。
【図面の簡単な説明】
【００１２】
【図１】本発明の一実施形態による巻取装置を説明するための模式図である。
【図２】図１の巻取装置の支持機構を説明するための図である。
【図３】図１の巻取装置において巻取ロールの直径が大きくなった状態を示した図である。
【図４】図２の支持機構の第２ローラおよび第３ローラが巻取軸から離間した状態を示した図である。
【図５】図３の巻取装置において巻取ロールが排出される状態を示した図である。
【図６】図５の巻取装置において新しい巻取軸が供給される状態を示した図である。
【発明を実施するための形態】
【００１３】
以下、本発明の一実施形態について図面を参照して説明する。
【００１４】
−構成−
まず、図１および図２を参照して、本実施形態による巻取装置１００の構成について説明する。この巻取装置１００は、いわゆるツードラムワインダであり、原反（図示省略）から繰り出される帯状のシート１５０を分割して巻き取るように構成されている。なお、シート１５０は、たとえば紙であり、巻き上がった場合に柔らかく高い弾性を有する。また、図１において、上流側がＹ１方向側であり、下流側がＹ２方向側である。
【００１５】
巻取装置１００は、図１に示すように、スリット部１と、ドラム２ａおよび２ｂと、チャック３と、プレスローラ４と、調整機構３０および４０と、排出機構５と、製品受台６と、巻取軸供給部７と、支持機構８（図２参照）とを備えている。なお、図１等では、見やすさを考慮して、後述するガイドレール３ａおよび支持機構８の図示を省略した。
【００１６】
スリット部１は、シート１５０に搬送方向に沿って連続的に切れ目（スリット）を入れ、複数のシート１５０ａに分割するために設けられている。
【００１７】
２つのドラム２ａおよび２ｂは、巻取軸１５２を回転させるために設けられている。巻取軸１５２は、ドラム２ａおよび２ｂ上に配置されるとともに、上流側のドラム２ａと下流側のドラム２ｂとの間に配置されている。ドラム２ａの上流側には、シート１５０ａをドラム２ａに押し付けるピンチローラ９ｂが設けられている。スリット部１を通過したシート１５０ａは、ガイドローラ９ａを介してドラム２ａとピンチローラ９ｂとの間に搬送されるようになっている。
【００１８】
巻取軸１５２には、複数の巻芯１５１が着脱可能に装着されている。複数の巻芯１５１は、分割されたシート１５０ａと対応するように、巻取軸１５２の軸方向に沿って配置されている。このため、巻取軸１５２とともに巻芯１５１が回転されることにより、分割されたシート１５０ａがそれぞれ巻芯１５１に巻き取られる。そして、シート１５０ａが巻芯１５１に巻き取られることにより巻取ロール１５０ｂが形成され、その巻取ロール１５０ｂがドラム２ａおよび２ｂに接触されている。
【００１９】
チャック３は、巻取軸１５２の端部を回転可能に支持するように構成されている。このチャック３は、調整機構３０のスライド部材３１に設けられ、鉛直方向に移動可能に構成されている。なお、チャック３は巻取軸１５２の両端部をそれぞれ支持するように２つ設けられているが、図１では一対のチャック３の一方のみを示している。
【００２０】
プレスローラ４は、巻取ロール１５０ｂの上方に配置され、巻取ロール１５０ｂをドラム２ａおよび２ｂに押し付けるために設けられている。このプレスローラ４は、調整機構４０のスライド部材４１に設けられ、鉛直方向に移動可能に構成されている。
【００２１】
ここで、巻取ロール１５０ｂとドラム２ａおよび２ｂとの接触点には、プレスローラ４による押圧力と巻取ロール１５０ｂの自重による押圧力とがかかることになる。そして、巻取ロール１５０ｂとドラム２ａおよび２ｂとの接触圧によって巻取品質が変化することから、この巻取装置１００にはその接触圧を調整するために調整機構３０および４０が設けられている。なお、調整機構３０および４０は、それぞれ、本発明の「第２調整機構」および「第１調整機構」の一例である。
【００２２】
調整機構３０は、巻取ロール１５０ｂの自重による押圧力を調整するために設けられている。この調整機構３０は、スライド部材３１と、チェーン３２と、固定部材３３と、滑車３４ａ〜３４ｃと、エアシリンダ３５とを含んでいる。また、調整機構３０は、巻取ロール１５０ｂに対して下流側に配置されている。なお、調整機構３０は、図示省略した一対のサイドフレームにそれぞれ設けられている。
【００２３】
スライド部材３１は、サイドフレームに設けられたガイドレール３１ａに沿って移動可能に構成されている。ガイドレール３１ａは鉛直方向に延びるように形成されており、スライド部材３１は鉛直方向に移動可能である。このスライド部材３１には、チャック３と支持機構８（図２参照）とが設けられている。
【００２４】
チェーン３２は、一端がスライド部材３１に連結され、他端が固定部材３３によりサイドフレームに固定されている。このチェーン３２は、滑車３４ａ〜３４ｃに掛けられている。滑車３４ａおよび３４ｂは、定滑車であり、回転軸がサイドフレームに固定されている。滑車３４ｃは、動滑車であり、回転軸がエアシリンダ３５のピストンに設けられている。エアシリンダ３５は、滑車３４ｃを鉛直方向に移動させるために設けられている。
【００２５】
この調整機構３０では、エアシリンダ３５によりスライド部材３１を引き上げる力を調整することにより、巻取ロール１５０ｂの自重による押圧力を調整することが可能である。
【００２６】
調整機構４０は、プレスローラ４による押圧力を調整するために設けられている。この調整機構４０は、スライド部材４１と、チェーン４２と、固定部材４３と、滑車４４ａ〜４４ｃと、エアシリンダ４５とを含んでいる。また、調整機構４０は、巻取ロール１５０ｂに対して上流側に配置されている。なお、調整機構４０は、一対のサイドフレームにそれぞれ設けられている。
【００２７】
スライド部材４１は、サイドフレームに設けられたガイドレール４１ａに沿って移動可能に構成されている。ガイドレール４１ａは鉛直方向に延びるように形成されており、スライド部材４１は鉛直方向に移動可能である。このスライド部材４１は、プレスローラ４を回転可能に支持するように構成されている。
【００２８】
チェーン４２は、一端がスライド部材４１に連結され、他端が固定部材４３によりサイドフレームに固定されている。このチェーン４２は、滑車４４ａ〜４４ｃに掛けられている。滑車４４ａおよび４４ｂは、定滑車であり、回転軸がサイドフレームに固定されている。滑車４４ｃは、動滑車であり、回転軸がエアシリンダ４５のピストンに設けられている。エアシリンダ４５は、滑車４４ｃを鉛直方向に移動させるために設けられている。
【００２９】
この調整機構４０では、エアシリンダ４５によりスライド部材４１を引き上げる力を調整することにより、プレスローラ４による押圧力を調整することが可能である。
【００３０】
排出機構５は、巻き上がった巻取ロール１５０ｂを排出するために設けられている。この排出機構５は、アーム５１と、位置調整部材５２と、押出部材５３とを含んでいる。また、排出機構５は、ドラム２ａおよび２ｂに対して上流側に配置されている。
【００３１】
アーム５１は、サイドフレームに回動可能に取り付けられ、先端に位置調整部材５２が設けられている。このため、アーム５１が回動された場合に、位置調整部材５２が巻取軸受取位置に配置されるようになっている。位置調整部材５２は、巻取軸１５２に対する巻芯１５１の位置を調整するために設けられている。具体的に、位置調整部材５２は、巻取軸受取位置の巻取軸１５２に当接する爪部を有し、その爪部が巻取軸１５２の軸方向に移動可能に構成されている。
【００３２】
押出部材５３は、巻取ロール１５０ｂを排出する際にその巻取ロール１５０ｂを押し出すために設けられ、サイドフレームに設けられたレール５３ａに沿って移動可能に構成されている。この押出部材５３は、リンク（図示省略）を介してアーム５１に連結され、アーム５１の回動に連れて移動するように構成されている。すなわち、位置調整部材５２および押出部材５３は、アーム５１と連動するようになっている。つまり、アーム５１は、位置調整部材５２を巻取軸受取位置に移動させる機能と、押出部材５３をスライド移動させる機能とを有する。また、押出部材５３は、巻取軸１５２の軸方向に延びるように形成され、その両端がレール５３ａに連結されており、複数の巻取ロール１５０ｂを同時に押すようになっている。
【００３３】
製品受台６は、ドラム２ａおよび２ｂに対して下流側に配置され、巻き上がった巻取ロール１５０ｂを受け取るために設けられている。この製品受台６とドラム２ｂとの間には、傾斜面１０が設けられている。巻取軸供給部７は、ドラム２ａおよび２ｂに対して下流側に配置され、巻取軸受取位置に新しい巻取軸１５２を供給するために設けられている。
【００３４】
ここで、本実施形態では、図２に示すように、巻取軸１５２を支持する支持機構８がスライド部材３１（図１参照）に設けられている。このため、支持機構８は、チャック３（図１参照）とともに鉛直方向に移動可能に構成されている。この支持機構８は、巻取軸１５２に装着された巻芯１５１とチャック３との間に配置されている。なお、支持機構８は、チャック３と同様に２つ設けられている。すなわち、巻取軸１５２の一方端部がチャック３に保持され、そのチャック３と巻芯１５１との間に支持機構８が設けられるとともに、巻取軸１５２の他方端部がチャック３に保持され、そのチャック３と巻芯１５１との間に支持機構８が設けられている。
【００３５】
支持機構８は、第１ローラ８１と第２ローラ８２と第３ローラ８３とを含み、それらが巻取軸１５２を取り囲むように配置されるとともに、それらが巻取軸１５２に接触されている。第１ローラ８１は、巻取軸１５２に対して上流側に配置され、第２ローラ８２および第３ローラ８３は、巻取軸１５２に対して下流側に配置されている。
【００３６】
第１ローラ８１は、スライド部材３１に回転可能に設けられ、チャック３が保持する巻取軸１５２の回転中心とほぼ同じ高さ位置に配置されている。すなわち、第１ローラ８１の回転軸がスライド部材３１に対して移動しないように構成されており、チャック３が巻取軸１５２を保持する場合に、その巻取軸１５２に第１ローラ８１が常に接触するようになっている。
【００３７】
第２ローラ８２は、巻取軸１５２の回転中心よりも上方に配置され、巻取軸１５２から上方に離間するように移動可能に構成されている。具体的には、第２ローラ８２は、アーム８２ａに回転可能に設けられ、そのアーム８２ａの回動により、巻取軸１５２と接触する接触位置と巻取軸１５２と離間する離間位置との間で移動するようになっている。この第２ローラ８２の接触位置（図２参照）は、巻取軸１５２に対して下流側の上方であり、第２ローラ８２の離間位置（図４参照）は、接触位置に対して上流側の上方である。アーム８２ａは、スライド部材３１に回動可能に設けられ、エアシリンダ８２ｂが連結されている。エアシリンダ８２ｂは、スライド部材３１に設けられ、アーム８２ａを回動させるように構成されている。また、第２ローラ８２が接触位置に配置された状態でアーム８２ａを固定するためのロック機構（図示省略）がスライド部材３１に設けられている。
【００３８】
第３ローラ８３は、巻取軸１５２の回転中心よりも下方に配置され、巻取軸１５２から下方に離間するように移動可能に構成されている。具体的には、第３ローラ８３は、アーム８３ａに回転可能に設けられ、そのアーム８３ａの回動により、巻取軸１５２と接触する接触位置と巻取軸１５２と離間する離間位置との間で移動するようになっている。この第３ローラ８３の接触位置（図２参照）は、巻取軸１５２に対して下流側の下方であり、第３ローラ８３の離間位置（図４参照）は、接触位置のほぼ下方である。アーム８３ａは、スライド部材３１に回動可能に設けられ、エアシリンダ８３ｂが連結されている。エアシリンダ８３ｂは、スライド部材３１に設けられ、アーム８３ａを回動させるように構成されている。
【００３９】
また、支持機構８とチャック３との間には、巻取ロール１５０ｂの排出の際に巻取軸１５２をガイドするガイドレール３ａが設けられている。このガイドレール３ａは、スライド部材３１に設けられ、チャック３に保持される巻取軸１５２の下方に配置されている。なお、ガイドレール３ａは、チャック３に保持される巻取軸１５２と離間されている。また、ガイドレール３ａは、巻取軸１５２の回転中心よりも上流側に配置される湾曲部と、巻取軸１５２の回転中心よりも下流側に配置される直線部とを有する。湾曲部は、巻取軸１５２の外周面に沿って湾曲するように形成されている。直線部は、下流側が上流側よりも若干低くなるように傾斜されている。
【００４０】
−動作−
次に、図１〜図６を参照して、本実施形態による巻取装置１００の動作について説明する。なお、巻取軸１５２はチャック３に回転可能に保持され、その巻取軸１５２には複数の巻芯１５１が装着されている。
【００４１】
まず、図１に示すように、原反（図示省略）からシート１５０が繰り出され、そのシート１５０がスリット部１に送られる。そして、シート１５０がスリット部１を通過する際に、シート１５０の搬送方向に沿って連続的に切れ目が入る。このため、シート１５０が複数のシート１５０ａに分割される。その分割されたシート１５０ａは、ガイドローラ９ａを介してドラム２ａとピンチローラ９ｂとの間に送られる。そして、図１において反時計回りに回転される巻取ロール１５０ｂにシート１５０ａが巻き取られる。
【００４２】
なお、巻取ロール１５０ｂは、巻芯１５１にシート１５０ａが巻き取られることにより形成される。そして、複数の巻芯１５１は分割されたシート１５０ａと対応するように配置されており、各巻芯１５１に分割された各シート１５０ａが巻き取られるようになっている。また、巻取ロール１５０ｂは、主にドラム２ａおよび２ｂにより駆動される。
【００４３】
このとき、プレスローラ４により巻取ロール１５０ｂがドラム２ａおよび２ｂ側に押圧される。このプレスローラ４による押圧力は、調整機構４０によって調整される。また、シート１５０ａの巻き取りに連れて巻取ロール１５０ｂの自重が増加する。この巻取ロール１５０ｂの自重による押圧力は、調整機構３０によって調整される。これにより、巻取ロール１５０ｂとドラム２ａおよび２ｂとの接触圧を適切に調整することが可能である。なお、プレスローラ４および巻取軸１５２は適宜駆動される。
【００４４】
また、本実施形態では、図２に示すように、巻取軸１５２を支持する支持機構８が設けられており、第１ローラ８１、第２ローラ８２および第３ローラ８３が巻取軸１５２を取り囲むように配置され、それらが巻取軸１５２に接触されている。具体的には、第１ローラ８１は、上流側のほぼ同じ高さ位置から巻取軸１５２に接触されている。第２ローラ８２は、下流側の斜め上方から巻取軸１５２に接触されている。第３ローラ８３は、下流側の斜め下方から巻取軸１５２に接触されている。なお、第１ローラ８１、第２ローラ８２および第３ローラ８３は、巻取軸１５２によって連れ回される。
【００４５】
そして、図３に示すように、巻取ロール１５０ｂの巻き径が大きくなるに連れて、チャック３が調整機構３０によって上方に移動されるとともに、プレスローラ４が調整機構４０によって上方に移動される。具体的には、エアシリンダ３５により滑車３４ｃが引き下げられることによってスライド部材３１およびチャック３が上方に移動し、エアシリンダ４５により滑車４４ｃが引き下げられることによってスライド部材４１およびプレスローラ４が上方に移動する。その際、巻取ロール１５０ｂとドラム２ａおよび２ｂとの接触圧が適切になるように調整機構３０および４０により調整される。
【００４６】
そして、巻取ロール１５０ｂが巻き上がり、巻取軸１５２が交換される場合には、シート１５０ａの巻き取りが一時的に停止される。その後、プレスローラ４が巻取ロール１５０ｂから離間するように上方に移動される。また、スライド部材３１が若干上方に移動され、巻取ロール１５０ｂがドラム２ａおよび２ｂから離間される。そして、チャック３による巻取軸１５２の保持が解除され、第２ローラ８２のアーム８２ａを固定するためのロック機構（図示省略）が解除される。
【００４７】
次に、図４に示すように、エアシリンダ８２ｂによってアーム８２ａが回動されることにより、第２ローラ８２が接触位置から離間位置に移動されるとともに、エアシリンダ８３ｂによってアーム８３ａが回動されることにより、第３ローラ８３が接触位置から離間位置に移動される。このため、支持機構８による巻取軸１５２の支持が解除され、巻取軸１５２がガイドレール３ａに落下する。なお、この状態でも、巻取ロール１５０ｂがドラム２ａおよび２ｂから離間されている。
【００４８】
また、図５に示すように、排出機構５のアーム５１が回動されることにより、押出部材５３がレール５３ａに沿って下流側に移動される。そして、押出部材５３によって巻取ロール１５０ｂが下流側に押されることにより、巻取軸１５２がガイドレール３ａにガイドされながら、巻取ロール１５０ｂが下流側に移動される。その後、巻取ロール１５０ｂの中心がドラム２ｂの中心よりも下流側に移動した後に、ガイドレール３ａによる巻取軸１５２のガイドが終わり、巻取ロール１５０ｂが傾斜面１０上を下流側に転がる。これにより、図６に示すように、巻き上がった巻取ロール１５０ｂが製品受台６に排出され、図示省略した切断装置によりシート１５０ａが切断される。なお、アーム５１の回動により、位置調整部材５２が巻取軸受取位置に移動されている。
【００４９】
そして、チャック３が巻取軸受取位置へと上方に移動され、巻取軸供給部７により新しい巻取軸１５２が巻取軸受取位置に供給される。このとき、新しい巻取軸１５２の上方に位置調整部材５２の爪部が当接する。なお、新しい巻取軸１５２には、空の巻芯１５１が複数挿入されている。そして、チャック３により新しい巻取軸１５２が保持されるとともに、位置調整部材５２の爪部により新しい巻取軸１５２の軸方向における空の巻芯１５１の位置が調整される。その後、空の巻芯１５１が新しい巻取軸１５２に装着され、排出機構５および巻取軸供給部７が図１に示す元の位置に戻される。
【００５０】
その後、チャック３が下方に移動され、シート１５０ａの切断端が空の巻芯１５１に巻き付けられる。そして、プレスローラ４が下方に移動され、そのプレスローラ４により新しい巻取ロール１５０ｂがドラム２ａおよび２ｂ側に押し付けられ、シート１５０ａの巻き取りが再開される。
【００５１】
−効果−
本実施形態では、上記のように、巻芯１５１とチャック３との間に支持機構８を設けることによって、巻取軸１５２の支点間距離を短くすることができるので、巻取軸１５２が撓むのを抑制することができる。また、共振時の振幅を抑制するとともに、共振点の数の低減を図ることができる。したがって、高速巻取時（たとえば、シート１５０の搬送速度が１２００ｍ／ｍｉｎ）であり、巻取ロール１５０ｂが柔らかい場合であっても、巻取軸１５２が振動するのを抑制することができる。
【００５２】
また、本実施形態では、巻き上がった巻取ロール１５０ｂを排出する際に、第３ローラ８３をほぼ下方に移動させるとともに、押出部材５３により巻取ロール１５０ｂを押すことによって、複数の巻取ロール１５０ｂを同時に転がすことができるので、巻取ロール１５０ｂを円滑に排出することができる。
【００５３】
また、本実施形態では、アーム５１の回動により、位置調整部材５２が巻取軸受取位置に移動されるとともに、押出部材５３がスライド移動されることによって、位置調整部材５２および押出部材５３の動力源を共用することができるので、部品点数の削減を図ることができる。
【００５４】
−他の実施形態−
なお、今回開示した実施形態は、すべての点で例示であって、限定的な解釈の根拠となるものではない。したがって、本発明の技術的範囲は、上記した実施形態のみによって解釈されるものではなく、特許請求の範囲の記載に基づいて画定される。また、本発明の技術的範囲には、特許請求の範囲と均等の意味および範囲内でのすべての変更が含まれる。
【００５５】
たとえば、本実施形態では、スリット部１が設けられる例を示したが、これに限らず、スリット部が設けられていなくてもよい。
【００５６】
また、本実施形態では、支持機構８とチャック３との間に、巻取ロール１５０ｂの排出の際に巻取軸１５２をガイドするガイドレール３ａが設けられる例を示したが、これに限らず、支持機構と巻芯との間に、巻取ロールの排出の際に巻取軸をガイドするガイドレールが設けられていてもよい。
【符号の説明】
【００５７】
２ａ、２ｂ  ドラム
３          チャック
４          プレスローラ
５          排出機構
８          支持機構
３０        調整機構（第２調整機構）
３１        スライド部材
４０        調整機構（第１調整機構）
５１        アーム
５２        位置調整部材
５３        押出部材
８１        第１ローラ
８２        第２ローラ
８３        第３ローラ
１００      巻取装置
１５０ａ    シート
１５１      巻芯
１５２      巻取軸
【図１】
2018090383.tif 000003
【図２】
2018090383.tif 000004
【図３】
2018090383.tif 000005
【図４】
2018090383.tif 000006
【図５】
2018090383.tif 000007
【図６】
2018090383.tif 000008